(57)【特許請求の範囲】
【請求項１】
１画面では表示できない情報画像の一部を表示する表示手段と、
この表示手段に表示される前記情報の表示範囲移動及びその方向を指定する入力操作を行うための表示範囲移動方向入力手段と、
この表示範囲移動方向入力手段の操作時における操作形態を、１回の入力操作の継続時間に基づき判別する操作形態判別手段と、
この操作形態判別手段により判別された操作形態に対応して設定された第１の表示範囲移動形態、及び該第１の表示範囲移動形態よりも前記情報の表示範囲の一度の変化量が多い第２の表示範囲移動形態のうちの一方の表示範囲移動形態に従い前記情報の表示範囲移動を制御する制御手段とを備え、
前記操作形態判別手段により判別される操作形態は、前記１回の入力操作の継続時間が一定の操作時間よりも長い第１の操作形態、及び前記操作時間よりも短い第２の操作形態であり、前記第１の表示範囲移動形態が前記第１の操作形態に対応し、かつ前記第２の表示範囲移動形態が前記第２の操作形態に対応して設定されたことを特徴とする情報表示装置。
【請求項２】
前記制御手段による前記情報の表示範囲移動制御を、前記第１の表示範囲移動形態に固定するための切換手段を備えたことを特徴とする請求項１記載の情報表示装置。
【請求項３】
前記表示範囲移動方向入力手段は、上下左右の方向を指定可能であることを特徴とする請求項１または２記載の情報表示装置。
【請求項４】
前記情報表示装置は、地図データに基づく地図画面を表示する表示手段を備えた地図情報表示装置であることを特徴とする請求項１乃至３いずれか記載の情報表示装置。
【請求項５】
１画面では表示できない情報の表示範囲を、表示範囲移動方向入力手段を操作することにより画面上で表示範囲移動させる方法において、
前記表示範囲移動方向入力手段の操作時に、１回の入力操作の継続時間が一定の操作時間よりも長い第１の操作形態と、前記操作時間よりも短い第２の操作形態とに判別し、前記第１の操作形態に対応した第１の表示範囲移動形態、及び前記第２の操作形態に対応した該第１の表示範囲移動形態よりも前記情報の表示範囲の一度の変化量が多い第２の表示範囲移動形態のうちの一方の表示範囲移動形態を選択し、選択した表示範囲移動形態に従い前記情報の表示範囲移動を制御することを特徴とする表示範囲移動方法。
【請求項６】
コンピュータによって読み取られ実行されるプログラムを記録した記録媒体であって、
１画面では表示できない情報の表示範囲を画面上で表示範囲移動させるための表示範囲移動方向入力手段の操作時における操作形態を、１回の入力操作の継続時間が一定の操作時間よりも長い第１の操作形態と、前記操作時間よりも短い第２の操作形態とに判別し、前記第１の操作形態に対応した第１の表示範囲移動形態、及び前記第２の操作形態に対応した該第１の表示範囲移動形態よりも前記情報の表示範囲の一度の変化量が多い第２の表示範囲移動形態のうちの一方の表示範囲移動形態を選択し、選択した表示範囲移動形態に従い前記情報の表示範囲移動を制御するプログラムを含むことを特徴とする記録媒体。
【発明の詳細な説明】
【０００１】
【発明の属する技術分野】
本発明は、ナビゲーション装置に用いて好適な情報表示装置、表示範囲移動方法及びその方法を実現するためのプログラムが記録された記録媒体に関する。
【０００２】
【従来の技術】
従来、一般に普及しているナビゲーション装置においては、モニターに表示した地図上のカーソルを移動させるには、それが目標地点に達するまで十字キー等を押し続ける。そして、目標物を発見した後、次の動作に移行する。また、モニターに地図が表示されているとき、画面に表示されていない範囲を確認する際には、上記と同様に十字キー等を押す操作し地図を移動（スクロール）させる。このスクロールは、十字キー等が押されることにより指示された方向に隣接する範囲の地図データであって、その時点で地図ＣＤ−ＲＯＭから読み出したり、予め読み出しておいた新たな地図データを順次表示することにより、画面における地図の表示範囲を少しずつ滑らかに順次変化させることによって行われる。
【０００３】
【発明が解決しようとする課題】
しかしながら、ナビゲーション装置において、地図画面を移動させたいとき、それを前述した地図のスクロール操作によって行うことが不便な場合があった。例えば主要幹線道路や経路計算機能により得られた推奨ルート等の特定ルートを確認するとき、特定ルートの概略だけを確認したい場合や、その時点で表示されている範囲にはない特定地点を表示させたいとき、その時点で表示されている範囲と前記特定地点との位置関係を使用者が良く理解している場合である。つまり、こうした場合には、地図を少しずつ移動させる必要がないにもかかわらず、十字キー等を押し続ける操作を強いられ、地図を移動させる量が多くなればなるほど、その操作時間が長くなるという問題があった。
【０００４】
本発明は、かかる従来の課題に鑑みなされたものであって、画面に表示されている地図等の情報の表示範囲を移動させる際の操作性を大幅に向上させる情報表示装置、表示範囲移動方法及びその方法を実現するためのプログラムが記録された記録媒体を提供することを目的とする。
【０００５】
【課題を解決するための手段】
１画面では表示できない情報画像の一部を表示する表示手段と、この表示手段に表示される前記情報の表示範囲移動及びその方向を指定する入力操作を行うための表示範囲移動方向入力手段と、この表示範囲移動方向入力手段の操作時における操作形態を、１回の入力操作の継続時間に基づき判別する操作形態判別手段と、この操作形態判別手段により判別された操作形態に対応して設定された第１の表示範囲移動形態、及び該第１の表示範囲移動形態よりも前記情報の表示範囲の一度の変化量が多い第２の表示範囲移動形態のうちの一方の表示範囲移動形態に従い前記情報の表示範囲移動を制御する制御手段とを備え、前記操作形態判別手段により判別される操作形態は、前記１回の入力操作の継続時間が一定の操作時間よりも長い第１の操作形態、及び前記操作時間よりも短い第２の操作形態であり、前記第１の表示範囲移動形態が前記第１の操作形態に対応し、かつ前記第２の表示範囲移動形態が前記第２の操作形態に対応して設定されたことを特徴とした。
【０００６】
かかる構成において、表示範囲移動方向入力手段により入力操作が行われた際には、その操作時点における１回の入力操作の継続時間に基づき、操作形態判別手段がそのときの操作形態を判別する。すると、制御手段が判別された操作形態に対応して設定された第１の表示範囲移動形態と第２の表示範囲移動形態のうちの一方の表示範囲移動形態により情報の表示範囲移動を制御する。そして、情報は、第１の表示範囲移動形態により表示範囲移動を制御されるときには、その表示範囲の変化量が少なくなり、第２の表示範囲移動形態により表示範囲移動を制御されるときには、その表示範囲の変化量が第１の表示範囲移動形態による変化量よりも多くなる。従って、表示範囲移動方向入力手段を操作するときには、その１回の入力操作の継続時間を変化させることにより、必要に応じて、１回の入力操作で移動する情報の表示範囲移動量を変化させることが可能となる。
【０００７】
また、本発明の表示範囲移動方法にあっては、１画面では表示できない情報の表示範囲を、表示範囲移動方向入力手段を操作することにより画面上で表示範囲移動させる方法において、前記表示範囲移動方向入力手段の操作時に、１回の入力操作の継続時間が一定の操作時間よりも長い第１の操作形態と、前記操作時間よりも短い第２の操作形態とに判別し、前記第１の操作形態に対応した第１の表示範囲移動形態、及び前記第２の操作形態に対応した該第１の表示範囲移動形態よりも前記情報の表示範囲の一度の変化量が多い第２の表示範囲移動形態のうちの一方の表示範囲移動形態を選択し、選択した表示範囲移動形態に従い前記情報の表示範囲移動を制御するようにした。
【０００８】
かかる方法によれば、前述した装置と同様に、画面上で情報の表示範囲を移動させる際には、表示範囲移動方向入力手段を操作するとき、その１回の入力操作の継続時間を変化させることにより、必要に応じて、１回の入力操作で移動する情報の表示範囲移動量を変化させることが可能となる。
【０００９】
また、本発明の記録媒体にあっては、コンピュータによって読み取られ実行されるプログラムを記録した記録媒体であって、１画面では表示できない情報の表示範囲を画面上で表示範囲移動させるための表示範囲移動方向入力手段の操作時における操作形態を、１回の入力操作の継続時間が一定の操作時間よりも長い第１の操作形態と、前記操作時間よりも短い第２の操作形態とに判別し、前記第１の操作形態に対応した第１の表示範囲移動形態、及び前記第２の操作形態に対応した該第１の表示範囲移動形態よりも前記情報の表示範囲の一度の変化量が多い第２の表示範囲移動形態のうちの一方の表示範囲移動形態を選択し、選択した表示範囲移動形態に従い前記情報の表示範囲移動を制御するプログラムを含むものとした。
【００１０】
かかる記録媒体に記録されているプログラムを用いれば、コンピュータに、画面上で情報の表示範囲を移動させる際には、表示範囲移動方向入力手段を操作するとき、その１回の入力操作の継続時間を変化させることにより、必要に応じて、１回の入力操作で移動する情報の表示範囲移動量を変化させることが可能となるような制御を行わせることができる。
【００１１】
【発明の実施の形態】
以下、本発明の一実施の形態を図にしたがって説明する。図１は、本発明に係るナビゲーション装置を示すブロック図である。このナビゲーション装置は、経路計算機能、経路誘導機能、及び地点登録機能等の一般的な機能を備えており、受信機能としてＧＰＳアンテナ１と、ＧＰＳアンテナ１により受信した衛星からのＬ１帯のＣ／Ａコードを復調・解読して現在地の緯度・経度を割り出すＧＰＳブロック２とを有している。ＧＰＳブロック２はグラフィックブロック３に接続されており、ＧＰＳブロック２により割り出された緯度・経度の情報はグラフィックブロック３に入力されＣＰＵ４に取り込まれる。クラフィックブロック３ではＣＰＵ周辺回路Ｇ／Ａ５、ＣＰＵ４の処理動作等のタイミングをはかるためのタイマ部６、ＲＯＭ７、ＲＡＭ８、グラフィックコントローラ９がＣＰＵ４にそれぞれ接続されており、さらにグラフィックコントローラ９にはビデオＲＡＭ１０が接続されている。ＲＯＭ７には、ＲＡＭ８をワーキングエリアとしてＣＰＵ４にナビゲーション装置全体の制御を行わせるためのプログラムが記憶されている。
【００１２】
グラフィックブロック３にはＣＤブロック１１、本発明の表示手段であるモニター１２が接続されている。ＣＤブロック１１は、地図ＣＤ−ＲＯＭ１３の記憶データ、すなわち道路データや地名データ等の地図／道路情報、自動経路計算等に用いられる交通規制データを地図上へ表示するとき等に用いられる道路リンクデータを読み出し出力する。ＣＤブロック１１から出力された各種データはＲＡＭ８を介して、ＲＯＭ７から読み出されたデータとともにＣＰＵ周辺回路Ｇ／Ａ５を経由してＣＰＵ４へ送られる。さらに、ＣＤ−ＲＯＭ１３から読み出されたデータはグラフィックコントローラ９によりビデオＲＡＭ１０を介してモニター１２に送られ、これによりモニター１２に自車位置、及びその周辺の地域を表す地図が表示される。また、グラフィックブロック３にはＤ／Ａコンバータ１４及びアンプ１５を介してスピーカー１６が接続されており、経路誘導時等に必要に応じて合成音からなる案内音がスピーカー１６から放音される。
【００１３】
さらに、グラフィックブロック３には、ナビゲーション装置を操作するためのキーブロック１７が接続されており、キーブロック１７は、主として図２（ａ）に示すようなリモコンユニット２１により構成されている。リモコンユニット２１は、環状の十字キー２２、その中心部に設けられた決定キー２３、及び画面移動モード切換キー２４等の複数の操作キーを有している。前記十字キー２２は、モニター１２の画面上に表示されるカーソルと地図の移動、及びその方向を指示するための、本発明の表示範囲移動方向入力手段であって、図２（ｂ）に示すように、上下左右方向とそれらの中間方向、すなわち地図画面においては東西南北の方角と、それらの中間の方角の全８方向を指示できるようになっている。
【００１４】
次に、以上の構成からなるナビゲーション装置の動作を説明する。すなわち、ナビゲーション装置は電源投入とともに動作を開始し、先ず地図ＣＤ−ＲＯＭ１３から地図データを読み出し、モニター１２に自車位置及びその周辺の地域の地図を表示した後（ＳＡ１）、前記十字キー２２の操作待ちの状態となる（ＳＡ２）。かかる状態で使用者により十字キー２２が押されると、さらに、画面移動モード中であるか否かを判別する（ＳＡ３）。つまり予め前記画面移動モード切換キー２４が押されることにより、後述する一般的なスクロールとは異なった地図の移動形態を許容する画面移動モードが設定されているか否かを判別する。なお、画面移動モードが設定されたときには、その時点で図４に示すような設定マークＭが画面の上隅に表示される。ここで画面移動モードが設定されていない場合にはステップＳＡ７へ進み、十字キー２２が押された方向へ向けた画面の移動を開始する。引続き、十字キー２２が押された状態にあるか否かを判別し（ＳＡ８）、押されている間は画面の移動処理をそのまま続け（ＳＡ８でＹＥＳ）、十字キー２２を押す操作が終わると（ＳＡ８でＮＯ）、その時点で画面の移動を停止した後（ＳＡ９）、ステップＳＡ２へ戻る。つまり、一般的なスクロール動作であって、移動する地図の表示範囲の一度の変化量が最小である本発明の第１の移動形態に従った地図の移動を行う。
【００１５】
また、前述したステップＳＡ３の判別結果がＹＥＳであって、十字キー２２が押された時点で画面移動モードが設定されていた場合には、タイマ部６によって時間計測を開始した後（ＳＡ４）、十字キー２２が押し続けられているか否かを判別する（ＳＡ５）。ここで十字キー２２が押し続けられていれば、計測時間が事前に設定された一定の操作時間、例えば０．３秒に達したか否かを判別し（ＳＡ６）、かかる判別の結果がＮＯである間はステップＳＡ５へ戻り、タイムアップするまで（計測時間が前記操作時間となるまで）ステップＳＡ５の判断を繰り返す。そして、この間に十字キー２２が押された状態のまま（ＳＡ５でＹＥＳ）、操作時間に達すると前述したステップＳＡ７へ進み、前述した通常のスクロール動作を開始する。一方、計測時間が操作時間に達する以前に十字キー２２が押された状態が解除されたとき（ＳＡ５でＮＯ）、つまり十字キー２２が押し続けられていた時間が０．２秒といった短かい時間であったときには、十字キー２２の押された方向へ地図を、移動前の表示範囲と移動後の表示範囲とが部分的に重なるように１画面分移動する（ＳＡ１０）。例えばステップＳＡ５において、図５に示すように地図上のある地点“Ｏ１”を基準として十字キー２２がＥ（Ｗ，Ｓ，Ｎ）方向に瞬間的に押された場合には、地図の表示範囲が“Ｅ（Ｗ，Ｓ，Ｎ）”地点の範囲に移動する。同様に、地図上の他の地点“Ｏ２”を基準として十字キー２２がＮＥ（ＳＷ，ＳＥ，ＮＷ）方向に瞬間的に押された場合には、地図の表示範囲が“ＮＥ（ＳＷ，ＳＥ，ＮＷ）”地点の範囲に移動する。つまり、本発明の第２の移動形態に従い地図を移動する。しかる後、ステップＳＡ２へ戻り、以後、前述した動作を地図を表示すべきモードが解除されるまで繰り返す。
【００１６】
従って、本実施の形態においては、地図を移動させるとき、十字キー２２を押す時間を変えるだけで、一般的なスクロールを行わせたり、それよりも移動量の多い移動を行わせたりできる。このため、例えば主要幹線道路等の特定ルートを確認するとき、特定ルートの概略だけを確認したい場合や、その時点で表示されている範囲にはない特定地点を表示させたいとき、その時点で表示されている範囲と前記特定地点との位置関係を使用者が良く理解している場合には、十字キー２２を瞬間的に押す操作を行うことにより、その途中で不必要な範囲が表示される場合が少なくなる。その結果、使用者は、地図の移動に際して十字キー２２の操作時間が必要以上に長くなるという煩雑さから解放される。
【００１７】
また、十字キー２２が一定の操作時間よりも長く押されたときには一般的なスクロールに従った移動を行い、かつ一定の操作時間よりも短く（瞬間的に）押されたときには、それよりも移動量の多い移動を行うことから、１つの十字キー２２を操作することにより異なる種類のスクロール表示が可能である。このため、スクロール表示の種類毎に操作キーが異なる場合に比べる良好な操作性を確保することができる。しかも、十字キー２２が一定の操作時間よりも長く押されたときには一般的なスクロールに従った移動を行うため、十字キー２２の操作方法を変えることなく、従来と同様のスクロール表示が可能である。これによっても、十字キー２２に良好な操作性を確保することができる。
【００１８】
また、リモコンユニット２１に設けられた画面移動モード切換キー２４が押されることにより、十字キー２２が操作されたときの地図の移動形態を一般的なスクロールだけに限定することができるため、一般的なスクロール以外の移動形態を望んでいないときに、誤って移動量の多い移動を行ってしまうことを防止できる。よって、使い勝手が良い。また、主要幹線道路等の特定のルートを確認する際に、地図画面の移動操作を行うときには、従来用いられている製本地図により特定のルートを確認するときに近い使用感を使用者に与えることができる。また、その場合、本実施の形態においては、一般的なスクロールよりも一回の移動量の多い移動を行わせるときの地図の移動量が、移動前の表示範囲と移動後の表示範囲とが部分的に重なるように設定されているため、その使用感が製本地図を用いる場合と極めて近いものとなる。
【００１９】
次に、本発明の第２の実施の形態にかかる前記ナビゲーション装置の他の動作を図６のフローチャートに従って説明する。すなわち、ナビゲーション装置は電源投入とともに動作を開始し、先ず地図ＣＤ−ＲＯＭ１３から地図データを読み出し、モニター１２に自車位置及びその周辺の地域の地図を表示した後（ＳＢ１）、十字キー２２の操作待ちの状態となる（ＳＢ２）。かかる状態で使用者により十字キー２２が押されると、さらに画面移動モード中であるか否か、つまりその時点で画面移動モードが設定されているか否かを判別し（ＳＢ３）、画面移動モードが設定されていなければステップＳＢ４へ進む。そして、十字キー２２が押された方向へ画面の移動を開始し、十字キー２２が押されている間だけ移動を続けるとともに（ＳＢ５でＹＥＳ）、十字キー２２の操作が終わると（ＳＢ５でＮＯ）、その時点で画面の移動を停止し（ＳＢ６）、ステップＳＢ２へ戻る。つまり、一般的なスクロール動作を行なう。
【００２０】
一方、ステップＳＢ３の判別結果がＹＥＳであって、画面移動モード中であった場合には、その時点で十字キー２２が押された方向を示す方向データをＲＡＭ８の前述したキーバッファ領域に記憶する（ＳＢ７）。次に、タイマ部６によって時間計測を開始した後（ＳＢ８）、新たに十字キー２２が押されたか否かを判別する（ＳＢ９）。ここで、新たに十字キー２２が押されなければ、更にタイマ部６における計測時間が事前に設定された一定の設定時間、例えば１秒に達したか否かを判別するとともに、操作時間に達するまで（ＳＢ１０でＮＯ）、ステップＳＢ９へ戻る。一方、この間に新たに十字キー２２が押された場合には（ＳＢ９でＹＥＳ）、ステップＳＢ７へ戻り、その押された方向を前記キーバッファ領域に新たに記憶する。また、十字キー２２が押されてから一定の設定時間が経過し、前述したステップＳＢ１０の判別結果がＹＥＳになると、前記キーバッファ領域に記憶した順の方向に従って１画面分ずつ一定時間毎（例えば１秒間毎）に地図を移動する処理を開始する（ＳＢ１１）。例えば、図７に示すように、地図上のある地点”Ｏ３”が基準となっているとき、前述したステップＳＢ７でＲＡＭ８に記憶された方向データ及びその記憶順が、“ＮＥ→ＮＥ→Ｎ→ＮＷ→Ｗ→ＮＷ”であった場合には、地図の表示範囲を“Ａ”地点、“Ｂ”地点、“Ｃ”地点、“Ｄ”地点、“Ｅ”地点、“Ｆ”地点の範囲に、１秒間隔で順に変化させる処理を開始する。つまり、ＲＡＭ８の記憶内容に基づき、第１の実施の形態の場合と同様に本発明の第２の表示範囲移動形態に従い地図を移動する。
【００２１】
そして、かかる処理を開始した後には、先ずリモコンユニット２１の決定キー２３が押されたか否かを判別し（ＳＢ１２）、それが押されたら画面の移動を停止するとともに（ＳＢ１３）、ステップＳＢ１５へ進み、前記キーバッファ領域に記憶した方向を全て消去した後、ステップＳＢ２へ戻る。例えば、“Ｃ”地点、の範囲を表示している時点で決定キー２３が押されると、それから後の移動処理が中止される。また、それが押されなければ、前記バッフア領域に記憶された方向データについて移動処理を全て終了したか否かを判別し（ＳＢ１４）、終了するまで前記移動処理を続け（ＳＢ１４でＮＯ）、終了したら前述したステップＳＢ１５へ進んだ後、ステップＳＢ２へ戻る。そして、これ以後は前述した処理を、地図を表示すべきモードが解除されるまで繰り返す。
【００２２】
従って、本実施の形態においても、前述した第１の実施の形態と同様の効果が得られる。また、地図の移動操作に際して、十字キー２２を瞬間的に連続して押すことにより、一度の操作で地図を複数回移動させることができるため、地図の移動中に、地図ＣＤ−ＲＯＭ１３から新たに表示する範囲の地図データを読み込む作業に伴い、新たな範囲の表示に時間がかかる場合があったとしても、次の表示を待たずに、その次の移動方向を指定できる。従って、使用者が予め決めた順で複数回地図を移動させたい場合等においては、十字キー２２の操作時間が短くなり、便利である。なお、本実施の形態においては、画面移動モードが設定された状態では一般的なスクロール表示が行えない場合について説明したが、第１の実施の形態と同様に、画面移動モードが設定された状態でも一般的なスクロール表示が行える構成としても構わない。
【００２３】
なお、以上の説明した本実施の形態においては、ＣＵＰ４の制御プログラムがＲＯＭ７に予め記録されている場合について説明したが、制御プログラムの一部又は全部が地図ＣＤ−ＲＯＭ１３等の記録媒体に記録されそれが装置の起動とともにＲＡＭ８等に読み込まれるような構成であっても構わない。またナビゲーション装置に限らず、本発明の情報表示装置を一般のパソコン等、地図以外の他の画像データ等を表示する装置において実現する場合においても都合がよい。
【００２４】
【発明の効果】
以上説明したように本発明においては、表示範囲移動方向入力手段により入力操作が行われた際には、その操作時点における１回の入力操作の継続時間に基づき、操作形態判別手段がそのときの操作形態を判別する。すると、制御手段が判別された操作形態に対応して設定された第１の表示範囲移動形態と第２の表示範囲移動形態のうちの一方の表示範囲移動形態により情報画像の表示範囲移動を制御し、これにより、表示範囲移動方向入力手段を操作するときには、その１回の入力操作の継続時間を変化させることにより、必要に応じて、１回の入力操作で移動する情報の表示範囲移動量を変化させることが可能となるようにし、操作形態判別手段により判別される操作形態が、１回の入力操作の継続時間が一定の操作時間よりも長い第１の操作形態、及び操作時間よりも短い第２の操作形態であり、第１の表示範囲移動形態が第１の操作形態に対応し、かつ第２の表示範囲移動形態が前記第２の操作形態に対応して設定されたものとした。
【００２５】
よって、他の表示範囲を表示させるときには、通常のスクロールに加え、１回の入力操作で移動する情報の表示範囲移動量が多いスクロールを行えることから、例えば、他の表示範囲が現在表示されている範囲から非常に離れている場合、表示範囲移動方向入力手段の１回の入力操作の継続時間を、通常のスクロール時とは異なる時間に変える操作だけで、短時間で他の表示範囲を表示させることができる。その結果、地図等の情報の表示範囲を移動させる際の操作性が大幅に向上する。さらに、表示範囲移動方向入力手段の操作方法を変えることなく、従来と同様に情報のスクロール表示を可能にしたままで、前述した効果を得ることができる。よって、表示範囲移動方向入力手段に良好な操作性を確保することができる。
【００２７】
また、制御手段による情報の表示範囲移動制御を、第１の表示範囲移動形態に固定するための切換手段を備えたものとすれば、第２の表示範囲移動形態による情報の表示範囲移動を望んでいないときに、誤った表示範囲移動方向入力手段の操作により、第２の表示範囲移動形態によって情報が表示範囲移動することを防止できる。よって、使い勝手が向上する。
以上
【００２８】
また、表示範囲移動方向入力手段が、上下左右の方向を指定可能であれば、画像情報の表示範囲移動操作に好適である。
【００２９】
また、本発明の情報表示装置が、地図データに基づく地図画面を表示する表示手段を備えた地図情報表示装置であれば、例えば特定のルート等を確認する場合に、地図情報の表示範囲移動操作を行うとき、従来から用いられている製本地図により特定のルート等を確認するときに近い使用感を使用者に与えることができる。よって、使い勝手がよい地図情報表示装置となる。
【００３０】
【図面の簡単な説明】
【図１】本発明の一実施の形態を示すナビゲーション装置のブロック図である。
【図２】（ａ）はリモコンユニットの要部を示す平面図、（ｂ）はそれに設けられた十字キーの説明図である。
【図３】第１の実施の形態にかかるナビゲーション装置の動作を示すフローチャートである。
【図４】画面移動モードが設定された状態の画面を示す説明図である。
【図５】第１の実施の形態における地図の移動形態を示す説明図である。
【図６】図１のナビゲーション装置の第２の実施の形態にかかる動作を示すフローチャートである。
【図７】同本実施の形態における地図の移動形態を示す説明図である。
【符号の説明】
４    ＣＰＵ
６    タイマ部
７    ＲＯＭ
８    ＲＡＭ
１７    キーブロック
２３    十字キー
【図１】
0003598392.tif 000002
【図２】
0003598392.tif 000003
【図３】
0003598392.tif 000004
【図４】
0003598392.tif 000005
【図５】
0003598392.tif 000006
【図６】
0003598392.tif 000007
【図７】
0003598392.tif 000008